(57)【特許請求の範囲】
【請求項１】
車両室内の適宜位置に取り付けられると共に反射面が所定の方向へ向いた反射鏡を保持するミラー本体と、
前記ミラー本体から車両左右方向外方へ抜き取ることが可能に、前記ミラー本体に対して着脱可能に前記ミラー本体の下側に収容され、前記ミラー本体への装着状態では所定の初期照明方向を照明する照明手段と、
を備えるルームミラー。
【請求項２】
前記ミラー本体を構成する周壁の下側に前記照明手段を着脱可能に設けた、
ことを特徴とする請求項１に記載のルームミラー。
【請求項３】
内部に光源を収容すると共に内部の光を所定方向へ透過可能な開口部が形成されたランプハウスを含めて前記照明手段を構成すると共に、前記ミラー本体の下側における所定位置で前記ランプハウスを保持する保持手段を前記ミラー本体又は前記ランプハウスに設けたことを特徴とする請求項１又は請求項２に記載のルームミラー。
【請求項４】
一端側が前記ミラー本体の内部を介して直接或いは間接的に電源へ接続され、他端側が前記ランプハウスの内部を介して前記光源へ接続されて、前記光源へ前記電源の電気を供給すると共に、前記ランプハウスが前記ミラー本体へ装着された状態では前記ミラー本体及び前記ランプハウスの少なくとも何れか一方へ収納される給電手段を備えることを特徴とする請求項３記載のルームミラー。
【請求項５】
前記光源へ電気的に接続された状態で前記ランプハウスの内部に収容され、前記光源へ給電して前記光源を発光させる電池を備えることを特徴とする請求項３記載のルームミラー。
【発明の詳細な説明】
【０００１】
【発明の属する技術分野】
本発明は、車両室内に取り付けられるルームミラーに関する。
【０００２】
【従来の技術】
通常、車両の運転席と助手席との間の上方には、マップランプと称されるライトが設けられており、例えば、夜間に車両室内で地図を確認する場合等においてこのマップランプを照明として用いることができるようになっている。
【０００３】
一方、マップランプは車両のルーフパネルに取り付けられる場合が多いが、必要時以外はルーフを取り外すようなオープンカー等においてはルーフにマップランプを取り付けることができないため、ウインドシールドガラス（フロントガラス）の上端縁近傍にマップランプが取り付けられることが多く、特に、このマップランプを後方確認用のルームミラーと一体にすることが多い。
【０００４】
【発明が解決しようとする課題】
ところで、これまでのマップランプは車両のルーフパネルやウインドシールドガラスの縁に固定しているうえ、照明方向が車両下方側のみで一定である。この車両室内において地図を確認するためにこのようなマップランプを使用する場合には、マップランプの下方まで地図を移動させなければならない。同様に地図以外のものや使用者（乗員）自身を照明する場合においてもマップランプの下方等、照明が届く位置まで移動しなければならない。
【０００５】
一方で、車両室内の居住環境の向上に伴い車両室内における更なる利便性の向上が要求されており、上述したマップランプも単なる車両下方側のみならず多目的に使用できるような要求があった。
【０００６】
本発明は、上記事実を考慮して、車両下方以外の方向への照明が可能な室内灯及びこのような室内灯を備えた車両用のルームミラーを得ることを目的としている。
【０００７】
【課題を解決するための手段】
請求項１記載のルームミラーは、車両室内の適宜位置に取り付けられると共に反射面が所定の方向へ向いた反射鏡を保持するミラー本体と、前記ミラー本体から車両左右方向外方へ抜き取ることが可能に、前記ミラー本体に対して着脱可能に前記ミラー本体の下側に収容され、前記ミラー本体への装着状態では所定の初期照明方向を照明する照明手段と、を備えている。
【００１１】
請求項１記載のルームミラーは、車両室内の適宜位置に取り付けられると共に反射面が所定の方向へ向いた反射鏡を保持するミラー本体と、
前記ミラー本体から車両左右方向外方へ抜き取ることが可能に、前記ミラー本体に対して着脱可能に前記ミラー本体の下側に収容され、前記ミラー本体への装着状態では所定の初期照明方向を照明する照明手段と、を備えている。
上記構成のルームミラーによれば、車両室内の適宜位置には反射鏡が固定されたミラー本体が取り付けられており、このミラー本体に設けられた反射鏡を見ることで所定方向側、例えば、反射鏡の反射面が略車両後方側へ向けられていれば略車両後方側を確認できる。
また、このミラー本体の下側には照明手段が設けられており、この照明手段を発光させることで所定の初期照明方向が照明される。
一方、照明手段はミラー本体に対して着脱可能とされており、ミラー本体から車両左右方向外方へ照明手段を取り外して照明手段を所望の位置で所望の方向へ向けることにより、所望の部位を照明手段で照明できる。
このように、本ルームミラーは初期照明方向のみならず、照明手段をミラー本体から取り外すことで初期照明方向とは異なる方向を照明することができるため、照明手段の利便性ひいてはルームミラーの利便性が向上する。
請求項２記載のルームミラーは、請求項１記載の本発明において、前記ミラー本体を構成する周壁の下側に前記照明手段を着脱可能に設けた、ことを特徴としている。
上記構成のルームミラーによれば、ミラー本体を構成する周壁の下側で照明手段が着脱可能に設けられており、照明手段を周壁から取り外して照明手段を所望の位置で所望の方向へ向けることにより、所望の部位を照明手段で照明できる。
【００１２】
請求項３記載のルームミラーは、請求項１又は請求項２の何れか１項記載の本発明において、内部に光源を収容すると共に内部の光を所定方向へ透過可能な開口部が形成されたランプハウスを含めて前記照明手段を構成すると共に、前記ミラー本体の下側における所定位置で前記ランプハウスを保持する保持手段を前記ミラー本体又は前記ランプハウスに設けたことを特徴としている。
【００１３】
上記構成のルームミラーによれば、光源がミラー本体へ着脱可能なランプハウスの内部に収容されており、ミラー本体へランプハウスを装着した状態で光源を発光させると、初期照明方向へ向けて開口した開口部を透過した光源の光によってランプハウス外部の初期照明方向が照らされる。
【００１４】
一方、ミラー本体又はランプハウスには保持手段が設けられており、この保持手段を介してランプハウスがミラー本体に保持される。この保持手段を介したミラー本体によるランプハウスの保持を解除して、ランプハウスをミラー本体から取り外した状態で開口部を所望の位置から所望の方向へ向けることで所望の部位を照明手段で照明できる。
【００１５】
請求項４記載のルームミラーは、請求項３記載の本発明において、一端側が前記ミラー本体の内部を介して直接或いは間接的に電源へ接続され、他端側が前記ランプハウスの内部を介して前記光源へ接続されて、前記光源へ前記電源の電気を供給すると共に、前記ランプハウスが前記ミラー本体へ装着された状態では前記ミラー本体及び前記ランプハウスの少なくとも何れか一方へ収納される給電手段を備えることを特徴としている。
【００１６】
上記構成のルームミラーによれば、光源に接続された給電手段はランプハウスの内部及びミラー本体の内部を介してミラー本体外部の電源へ接続される。ここで、ミラー本体やランプハウスはその設置位置等から比較的小型であるため、仮に、これらのミラー本体やランプハウス内部に電源を収容すると、必然的に容量の小さな電源しか収容できない。これに対して、本発明では光源が給電手段を介してミラー本体及びランプハウスの外部の電源に接続されるため、電源を比較的大容量とすることができる。
【００１７】
請求項５記載のルームミラーは、請求項３記載の本発明において、前記光源へ電気的に接続された状態で前記ランプハウスの内部に収容され、前記光源へ給電して前記光源を発光させる電池を備えることを特徴としている。
【００１８】
上記構成のルームミラーによれば、ランプハウス内に収容された電池により光源が発光するため、ミラー本体からの取り外し状態でランプハウスに制限が加わることがなく、自由に移動させることができる。
【００２３】
【発明の実施の形態】
以下、図１から図１２の各図を用いて本発明の各実施の形態について説明する。なお、以下の各実施の形態のうち、第４の実施の形態、第５の実施の形態、及び第６の実施の形態は参考例とする。
＜第１の実施の形態の構成＞
図１には本発明の第１の実施の形態に係るルームミラー２５０（室内灯）の外観の斜視図が示されている。この図に示されるように、ルームミラー２５０はミラー本体２５２（ハウジング）を備えている。
【００２４】
ミラー本体２５２は、例えば、略車両左右方向が長手方向で且つ略車両上下方向が幅方向とされた板状の正面壁１４を備えている。この正面壁１４には外周部に沿って周壁１６が形成されており、全体的には略車両後方側へ向けて開口した浅底の箱状若しくは皿状とされている。また、この正面壁１４の略車両前方側には反射鏡１８が配置されている。反射鏡１８は外周形状が周壁１６の内周形状に対応した板状に形成されている。反射鏡１８は反射面が略車両前方側へ向けられた状態で周壁１６の内側に嵌め込まれて正面壁１４及び周壁１６の少なくとも何れか一方へ固定されている。
【００２５】
また、図１に示されるように、この正面壁１４の略車両前方側には背面壁２０が設けられていると共に、正面壁１４と背面壁２０との間には周壁２５４が設けられている。図２に示されるように、周壁２５４は正面壁１４及び背面壁２０の外周上端部に沿って湾曲した上壁２５６を備えている。この上壁２５６の長手方向両端部は上壁２５６と共に周壁２５４を構成する隔壁２５８の一端へ連結されている。隔壁２５８は上壁２５６との連結部分から正面壁１４及び背面壁２０の長手方向中央部へ延びており、更に、隔壁２５８はその先端側が下方向けて屈曲している。隔壁２５８の先端部は上壁２５６及び隔壁２５８共に周壁２５４を構成する下壁２６０へ連結されている。下壁２６０は正面壁１４及び背面壁２０の外周下端部に沿って湾曲していると共に、の両端部が双方の隔壁２５８へ連結されており、これにより、周壁２５４が全体的に筒状とされ、上述した正面壁１４と背面壁２０とにより開口端が閉止されている。
【００２６】
また、上壁２５６にはステー３４が設けられている。ステー３４と上壁２５６の何れか一方に球状のシャフトが形成されており、何れか他方にはこの球状のシャフトを回動可能に保持する保持部が形成され、この球状のシャフトと保持部とによってミラー本体２５２とステー３４とが機械的に連結されている。さらに、ステー３４は車両のルーフやフロントガラス（ウインドシールドガラス）の保持枠（何れも図示省略）に一体的に固定されている。上述したように、この球状のシャフトと保持部とによってミラー本体２５２とステー３４とが機械的に連結されているため、ミラー本体２５２は車両のルーフやフロントガラスに対して球状のシャフト周りに所定量回動可能であり、回動させることで反射鏡１８の反射面の向きを変更できるようになっている。
【００２７】
一方、隔壁２５８の側方で且つ正面壁１４と背面壁２０との間の空間は収容部２６２とされており、照明手段を構成するランプハウス２６４が収容されている。ランプハウス２６４は全体的に箱形状に形成されており、収容部２６２への収容状態で下方を向く下壁２６６には略矩形の開口部２６８が形成されており、さらに、この開口部２６８には透明若しくは半透明の合成樹脂材等によって矩形の板状に形成された窓部２７０が一体的に嵌め込まれている。
【００２８】
また、図２に示されるように、ランプハウス２６４の内部には保持壁５６が立設されており、ランプハウス２６４内を正面壁１４と背面壁２０の長手方向にニ分割している。保持壁５６を介して一方の側の空間は電球収納部２７２とされている。電球収納部２７２の内側には照明手段を構成する電球５８が収納されており、保持壁５６に一体的に設けられたソケット６０により保持されている。この電球収納部２７２は上述した開口部２６８並びに窓部２７０に対応しており、電球５８が発光すると、電球５８の光が窓部２７０を介してランプハウス２６４の外部に透過するようになっている。
【００２９】
これに対し、保持壁５６を介して電球収納部２７２とは反対側には基板２７４が収納されており、更に、この基板２７４上には鉛蓄電池やニッケル−カドミウム電池等の電池としての二次電池２７６が収納されている。この二次電池２７６が有する一対の端子２７８、２８０のうち、端子２７８はランプハウス２６４の側壁２８２に形成された端子２８４に接続されており、端子２８０は基板２７４上に設けられた端子２８６へ接続されている。なお、端子２８６は基板２７４に形成された図示しない配線を介して端子２８４に隣接して側壁２８２に形成された端子（図示省略）へ接続されている。
【００３０】
一方の側壁２８２の外側にはコネクタ２８８が一体的に設けられている。コネクタ２８８は端子２８４並びに端子２８４に隣接して設けられた端子２８６に接続された図示しない端子の双方へ電気的且つ機械的に接続されていると共に、隔壁２５８に形成されたコネクタ２９０へ電気的且つ機械的に接続可能とされている。コネクタ２９０はミラー本体２５２内に設けられたリード線を介して充電回路に接続されており、更にこの充電回路に接続された他のリード線をかいして電源としての車両のバッテリー（符号無きものは何れも図示省略）へ電気的に接続され、適宜に二次電池２７６を充電できる構成となっている。
【００３１】
さらに、基板２７４を介して二次電池２７６とは反対側にはスイッチ２９２が設けられており、基板２７４に形成された図示しない配線を介して二次電池２７６へ電気的に接続されている。このスイッチ２９２は基板２７４の配線並びにこの配線へ電気的に接続されているソケット６０を介して電球５８へ電気的に接続されており、二次電池２７６、電球５８、及びスイッチ２９２で電気回路を構成している。スイッチ２９２はボタンをランプハウス２６４の内側へ向けて押圧すると、導通しまた断線する構成となっており、導通することにより二次電池２７６から電球５８へ給電できるようになっている。なお、この二次電池２７６、電球５８、及びスイッチ２９２で構成される電気回路は上述した充電回路及びバッテリー側の回路とは独立（並列）で形成されており、スイッチ２９２が断線状態であっても無関係に二次電池２７６を充電できる。
【００３２】
一方、図１に示されるように、収容部２６２に対応して正面壁１４及び背面壁２０の外周下端部には保持手段としてのガイドレール２９４が形成されている。ガイドレール２９４は互いに接近するように収容部２６２の内側へ向けて正面壁１４及び背面壁２０の双方から延出されている。これらのガイドレール２９４の間隔は上述したランプハウス２６４の幅よりも小さく、収容部２６２にランプハウス２６４が収容された状態ではガイドレール２９４がランプハウス２６４を下方から支持すると共に、ランプハウス２６４をガイドレール２９４に案内させつつミラー本体２５２に対して移動させることでランプハウス２６４をミラー本体２５２から着脱できるようになっている。
【００３３】
＜第１の実施の形態の作用、効果＞
次に本実施の形態の作用並びに効果について説明する。
【００３４】
本ルームミラー２５０では、反射鏡１８を用いて略車両後方側の確認ができるのみならず、スイッチ２９２を操作して電球５８に給電して電球５８を点灯させることにより所謂マップランプとして使用することができる。すなわち、本ルームミラー２５０においてランプハウス２６４は、通常、収容部２６２内に収容されており、この状態では開口部２６８は略車両下方へ向けて開口している。したがって、この状態でスイッチ２９２を操作して電球５８を点灯させると、電球５８から発せられた光は開口部２６８の窓部２７０を透過して本実施の形態における初期照明方向である略車両下方側を照らす。この状態では、所謂マップランプと同様に使用することが可能である。
【００３５】
一方、収容部２６２へ収容されたランプハウス２６４を正面壁１４及び背面壁２０の長手方向外側へ向けて引っ張ると、コネクタ２８８とコネクタ２９０との連結が解除されると共に、ランプハウス２６４がガイドレール２９４に案内されて正面壁１４及び背面壁２０の長手方向外側へ向けて移動する。これにより、ランプハウス２６４を収容部２６２から抜き取ること、すなわち、ミラー本体２５２から取り外すことができる。
【００３６】
このランプハウス２６４は取り外し状態であっても内部に二次電池２７６が収納されており、スイッチ２９２を導通状態とさせれば、二次電池２７６から電球５８へ給電されるため、電球５８が発光する。したがって、この状態ではランプハウス２６４を把持して開口部２６８を所望の方向へ向けることで所望の位置を照らすことが可能となる。これにより、電球５８にて発せられた光の用途を拡大できる（すなわち、利便性が向上する）。
【００３７】
＜第２の実施の形態＞
次に、本発明のその他の実施の形態について説明する。なお、以下の各実施の形態を説明するにあたり、前記第１の実施の形態を含めて説明している実施の形態よりも前出の実施の形態と基本的に同一の部位については、同一の符号を付与してその説明を省略する。
【００３８】
図３には本発明の第２の実施の形態に係るルームミラー３１０（室内灯）の側面図が示されている。このルームミラー３１０は、基本的には前記第１の実施の形態に係るルームミラー２５０と同じ構成であるが、図３に示されるように、本ルームミラー３１０のミラー本体３１２を構成する正面壁１４及び背面壁２０にはガイドレール２９４が形成されておらず、代わりに、収容部２６２に対応した正面壁１４の背面壁２０側の面が背面壁２０側で且つ上方へ向いた保持手段としての傾斜面３１４とされており、また、収容部２６２に対応した背面壁２０の背面壁１４側の面が正面壁１４側で且つ上方へ向いた保持手段としての傾斜面３１６とされている。
【００３９】
すなわち、本実施の形態では、収容部２６２が側面視で下方へ向けて漸次収束する台形状とされている。これに対応して照明手段を構成するランプハウス３１８もまた台形状とされており、収容部２６２へランプハウス３１８を収容した状態では、ランプハウス３１８の正面壁３２０及び背面壁３２２が傾斜面３１４、３１６に支持される。本第２の実施の形態の構成であっても、基本的には前記第１の実施の形態と同様の作用を奏し同様の効果を得ることができる。
【００４０】
＜第３の実施の形態の構成＞
次に、本発明の第３の実施の形態について説明する。
【００４１】
図４には本実施の形態に係るルームミラー３４０（室内灯）の外観が斜視図によって示されている。この図に示されるように、本ルームミラー３４０は前記第１及び第２の実施の形態におけるミラー本体２５２に相当するミラー本体３４２（ハウジング）を備えている。このミラー本体３４２は正面壁３４４を備えている。正面壁３４４は全体的に板状であり、周壁１６が形成されて反射鏡１８が取り付けられているという点ではミラー本体２５２の正面壁１４と基本的に同じ構成であるが、外周下端部から略下方へ向けてスイッチ支持部３４６が延出されているという点で正面壁１４とは異なる。
【００４２】
また、ミラー本体３４２は背面壁３４８を備えている。この背面壁３４８は前記第１及び第２の実施の形態における背面壁２０と基本的に同じであるが、外形が正面壁３４４に対応している。
【００４３】
さらに、ミラー本体３４２は筒状の周壁３５０を備えている。この周壁３５０は外周形状が正面壁３４４及び背面壁３４８の外周形状に対応しており、両開口端が正面壁３４４と背面壁３４８とによって閉止されている。
【００４４】
上記構成のミラー本体３４２のうち、スイッチ支持部３４６の側方にはそれぞれ照明手段を構成するランプハウス３５２が配置される。ランプハウス３５２は基本的に前記第１及び第２の実施の形態におけるランプハウス２６４と同様に略箱形状で、その内部には電球５８（図４では図示省略）が収納されているものの、二次電池２７６は収納されていない。
【００４５】
本ルームミラー３４０は供給手段としてのコード３５４を備えている。このコード３５４は可撓性を有する一対の導線が合成樹脂材等により互いに絶縁された状態で被覆された長尺材で、その長手方向一方の端部はランプハウス３５２を貫通して内部のソケット６０へ電気的且つ機械的に接続され、更に、ソケット６０を介して電球５８へ電気的に接続されている。
【００４６】
このコード３５４の他端側は周壁３５０に形成された透孔３５６を介してミラー本体３４２の内部に引き回され、他端部が上述したスイッチ支持部３４６に支持されたスイッチ３５８へ電気的に接続されている。また、ミラー本体３４２の内部にはコード３５４をミラー本体３４２の内側へ引き込む方向へ付勢するスプリング等の付勢手段が設けられている。このため、ランプハウス３５２とミラー本体３４２との距離に応じた長さだけミラー本体３４２からコード３５４が引き出される。
【００４７】
また、ランプハウス３５２の開口部２６８とは反対側に位置する上壁３６０には保持手段としてのクリップ３６２が設けられている。このクリップ３６２は長手方向一端側で幅方向周りに上壁３６０に対して回動可能に上壁３６０に取り付けられていると共に、長手方向他端側が上壁３６０へ接近する方向へ捩じりコイルスプリング等の付勢手段により付勢されている。
【００４８】
このクリップ３６２に対応して周壁３５０には溝部３６４が形成されている。溝部３６４が周壁３５０のうち、スイッチ支持部３４６の側方部分に形成されており、下方並びに正面壁３４４並びに背面壁３４８の長手方向外方側の端部にて開口している。クリップ３６２を溝部３６４へ入り込ませた状態では、周壁３５０の幅方向（開口方向）に沿ったクリップ３６２の移動が規制される。また、周壁３５０にはクリップ３６２の長手方向他端側が入り込み可能な開口部３６６が形成されており、所定の収納位置までランプハウス３５２並びにクリップ３６２を移動させた状態ではクリップ３６２の長手方向他端側が開口部３６６を貫通してミラー本体３４２の内部に入り込む。さらに、ミラー本体３４２内にクリップ３６２の長手方向他端側が入り込んだ状態では、クリップ３６２とランプハウス３５２の上壁３６０とで周壁３５０を挟持する。
【００４９】
＜第３の実施の形態の作用、効果＞
次に本実施の形態の作用並びに効果について説明する。
【００５０】
本ルームミラー３４０では、反射鏡１８を用いて略車両後方側の確認ができるのみならず、スイッチ３５８を操作して電球５８に給電して電球５８を点灯させることにより所謂マップランプとして使用することができる。すなわち、本ルームミラー３４０においてランプハウス３５２は、通常、クリップ３６２が開口部３６６を貫通してミラー本体３４２の内側に入り込み、ランプハウス３５２の上壁３６０とで周壁３５０を挟持した状態にある。この状態では開口部２６８は略車両下方へ向けて開口している。したがって、この状態でスイッチ３５８を操作して電球５８を点灯させると、電球５８から発せられた光は開口部２６８の窓部２７０を透過して本実施の形態における初期照明方向である略車両下方側を照らす。この状態では、所謂マップランプと同様に使用することが可能である。
【００５１】
一方、クリップ３６２と上壁３６０とによる周壁３５０の挟持状態を解除し、更に、この状態でクリップ３６２と共に正面壁３４４並びに背面壁３４８の長手方向外側へ向けてランプハウス３５２をスライドさせると、ランプハウス３５２とミラー本体３４２との機械的な連結が解除される。また、この状態では、ランプハウス３５２とミラー本体３４２との距離に応じてコード３５４がミラー本体３４２内から引き出される。このランプハウス３５２とミラー本体３４２との機械的な連結を解除した状態では、ランプハウス３５２を把持して開口部２６８を所望の方向へ向けることで所望の位置を照らすことが可能となる。これにより、電球５８にて発せられた光の用途を拡大できる（すなわち、利便性が向上する）。
【００５２】
また、本実施の形態では、第１及び第２の実施の形態に係るルームミラー２５０、３１０のように二次電池２７６を用いておらず、コード３５４を介して車両のバッテリーから給電する構成であるため、ルームミラー２５０、３１０のようにランプハウス３５２とミラー本体３４２とは完全に分離することはできず、ランプハウス３５２は概ねコード３５４の全長を半径とする範囲いないに限られる。しかしながら、車両のバッテリーはランプハウス２６４、３１８内の二次電池２７６に比べると大型で、それ故に容量も大きい。このため、二次電池２７６に比べると劣化も少なく、また、移動中でも長時間に亘り安定して電球５８には給電できるというメリットがある。
【００５３】
さらには、ランプハウス３５２とミラー本体３４２とを完全には分離させないため、ランプハウス３５２を紛失する可能性もない。
【００５４】
＜第４の実施の形態の構成＞
次に第４の実施の形態について説明する。
【００５５】
図５には本実施の形態に係るルームミラー３８０（室内灯）の外観が斜視図によって示されている。この図に示されるように、本ルームミラー３８０はミラー本体３８２を備えている。ミラー本体３８２は正面壁１４並びに背面壁２０を備えている。この正面壁１４と背面壁２０との間には外周形状が正面壁１４及び背面壁２０の外周形状に対応した筒状の周壁３８４が設けられており、この周壁３８４の両開口端が正面壁１４及び背面壁２０により閉止されている。
【００５６】
また、周壁３８４のうち、正面壁１４並びに背面壁２０の外周部下端に対応した下壁３８６には一対の円孔３８８が形成されている。これらの円孔３８８は正面壁１４並びに背面壁２０の長手方向中央から略等距離長手方向外側に離間した位置に形成されている。
【００５７】
また、本ルームミラー３８０は給電手段としてのケーブル３９０を備えている。ケーブル３９０は長尺の一対の導線を合成樹脂材にて被覆した長尺材で、その長手方向一端側には照明手段を構成するランプハウスを兼ねるソケット３９２が導線と電気的に接続された状態で一体的に取り付けられており、更に、このソケット３９２には電球５８が取り付けられており、ソケット３９２を介してケーブル３９０の導線に電気的に接続されている。
【００５８】
一方、ケーブル３９０の長手他端側は円孔３８８を介してミラー本体３８２の内部に引き回され、他端部が周壁３８４に設けられたスイッチ２９２へ電気的に接続されている。また、ミラー本体３８２の内部にはケーブル３９０をミラー本体３８２の内側へ引き込む方向へ付勢するスプリング等の付勢手段が設けられている。このため、ランプハウス３５２とミラー本体３８２との距離に応じた長さだけミラー本体３８２からケーブル３９０が引き出される。
【００５９】
ここで、上述したソケット３９２は外径寸法が円孔３８８の内径寸法よりも充分に大きな円筒状であるため、ケーブル３９０にはミラー本体３８２の内部に引き込む付勢力が作用しているものの、ソケット３９２が円孔３８８の近傍で周壁３８４に当接することでそれ以上のケーブル３９０の引き込みが制限されると共に、この付勢力によりソケット３９２の開口端が下方へ向いた状態で保持される。
【００６０】
＜第４の実施の形態の作用、効果＞
上記構成のルームミラー３８０はケーブル３９０をミラー本体３８２内に引き込む付勢力でソケット３９２をミラー本体３８２の所定位置で保持している等の細部においては前記第３の実施の形態に係るルームミラー３４０と異なるが、ケーブル３９０と前記第３の実施の形態におけるコード３５４とが基本的に同じ構成であるため、基本的にルームミラー３４０と同様の作用を奏し、同様の効果を得ることができる。
【００６１】
さらに、上記のように、ルームミラー３８０はケーブル３９０をミラー本体３８２内に引き込む付勢力でソケット３９２をミラー本体３８２の所定位置で保持してことから、ソケット３９２を引っ張ってソケット３９２をミラー本体３８２から離間させて所望の位置を照らしたのち、ソケット３９２を手放せば、ケーブル３９０をミラー本体３８２内に引き込む付勢力で自動的にミラー本体３８２に対してソケット３９２を元の位置に戻すことができるという効果もある。
【００６２】
＜第５の実施の形態の構成＞
次に第５の実施の形態について説明する。
【００６３】
図６には本実施の形態に係るルームミラー４１０（室内灯）の外観が斜視図によって示されている。この図に示されるように、本ルームミラー４１０はミラー本体４１２を備えている。ミラー本体４１２は正面壁１４並びに背面壁２０を備えている。この正面壁１４と背面壁２０との間には外周形状が正面壁１４及び背面壁２０の外周形状に対応した筒状の周壁４１４が設けられており、この周壁４１４の両開口端が正面壁１４及び背面壁２０により閉止されている。
【００６４】
また、周壁４１４のうち、正面壁１４並びに背面壁２０の外周部下端に対応した下壁４１６には正面壁１４並びに背面壁２０の長手方向に沿って長手とされた略矩形の開口部４１８が形成されている。また、このミラー本体４１２の内側には収容部４２０が設けられている。収容部４２０は下方へ向けて開口した略箱形状とされており、その開口端の開口形状は開口部４１８に対応しており、内周部と開口部４１８の内周部とが略一致するように周壁４１４に連結されている。
【００６５】
図８に示されるように、この収容部４２０の長手方向両端側の側壁４２２の内面は、収容部４２０の内側の所定位置を軸芯として湾曲した湾曲面とされており、光沢を有する反射膜４２４が貼着されている。この収容部４２０の内側には照明手段を構成する一対のランプハウス４２６が収容されている。このランプハウス４２６は内部に二次電池２７６（図９及び図１０参照）が収納された中空円柱形状の電池収納部４２８と、この電池収容部の側壁４２２側に連結されたソケット部４３０と、により構成されており、ソケット部４３０には電球５８が取り付けられている。電池収容部４２０の外周面には摺動接点４３２が一体的に設けられており、収容部４２０の底壁４３４に形成された摺動接点４３６に摺接している。摺動接点４３２は電池収容部４２０の内部で二次電池２７６の両端子に電気的に接続されている。
【００６６】
一方、摺動接点４３６はミラー本体４１２の内側に収容された一対のリード線４３８の一端に電気的且つ機械的に接続されている。この一対のリード線４３８はミラー本体４１２内に設けられた図示しない充電回路へ接続されていると共に、充電回路を介して車両のバッテリー（符号無きものは何れも図示省略）へ電気的に接続され、摺動接点４３２と摺動接点４３６とが互いに摺接している状態では、二次電池２７６を充電できるようになっている。
【００６７】
また、図９及び図１０に示されるように、電池収納部４２８の内周部にはスイッチを構成する固定接点４４０と略逆「へ」字形状に屈曲した可動接点４４２とが設けられている。これらの可動接点４４２と固定接点４４０とは上述したリード線４３８や充電回路により構成される電気回路とは独立（並列）の電気回路を構成しており、固定接点４４０に可動接点４４２が接触することで二次電池２７６から電球５８に給電されるようになっている。
【００６８】
また、図９及び図１０に示されるように、電池収納部４２８には透孔４４４が形成されており、この透孔４４４には収容部４２０の底壁４３４から突出形成された押圧片４４６（図８参照）が貫通して電池収納部４２８の内部に入り込んでいる。図７に示されるように、押圧片４４６の先端部は、通常、可動接点４４２の中間部を押圧して可動接点４４２の先端部を固定接点４４０から離間させているが、図１０に示されるよう電池収納部４２８が自らの軸周りに図９の矢印Ａ方向へ回動すると、可動接点４４２の押圧を解除する。これにより、可動接点４４２は自らの弾性力で回動し、先端部を固定接点４４０に圧接させる構成である。
【００６９】
一方、図に示されるように、収容部４２０からは保持手段としての一対の保持片４４８が延出されており、自らの弾性力で電池収納部４２８を挟持している。また、保持片４４８よりも側壁４２２側には保持手段としての一対の保持片４５０が延出されており、自らの弾性力でソケット部４３０を挟持している。
【００７０】
＜第５の実施の形態の作用、効果＞
次に本実施の形態の作用並びに効果について説明する。
【００７１】
本ルームミラー４１０では、収容部４２０にランプハウス４２６が収容された状態でランプハウス４２６が自らの軸周りに図１０の矢印Ａ方向へ回動させられると、可動接点４４２が自らの弾性で回動して固定接点４４０へ接触する。これにより、二次電池２７６から電球５８に給電されて電球５８が点灯する。ここで、ソケット部４３０は電池収納部４２８の側壁４２２側に設けられているため、電球５８の光は正面壁１４並びに背面壁２０の長手方向外側を照らす。しかしながら、電球５８と対向する収容部４２０の側壁４２２は湾曲され、しかも、その内面には反射膜４２４が貼着されているため、電球５８から発せられた光は反射膜４２４で反射されて本実施の形態における初期照明方向である下方を照らす。
【００７２】
一方、このランプハウス４２６を下方へ引っ張って移動させ、保持片４４８、４５０による挟持状態を解除することでランプハウス４２６を収容部４２０から抜き取ること、すなわち、ミラー本体４１２から取り外すことができる。
【００７３】
さらに、ランプハウス４２６を収容部４２０から離脱させることで押圧片４４６が透孔４４４から抜け出る。これにより、可動接点４４２が固定接点４４０へ接触する。ここで、ランプハウス４２６は取り外し状態であっても電池収納部４２８の内部には二次電池２７６が収納されており、上記のように可動接点４４２が固定接点４４０へ接触することで二次電池２７６から電球５８へ給電されるため、電球５８が発光する。したがって、この状態ではランプハウス２６４を把持して開口部２６８を所望の方向へ向けることで所望の位置を照らすことが可能となる。これにより、電球５８にて発せられた光の用途を拡大できる（すなわち、利便性が向上する）。
【００７４】
＜第６の実施の形態の構成＞
次に第６の実施の形態について説明する。
【００７５】
図１１には本実施の形態に係るルームミラー４６０（室内灯）の外観が斜視図によって示されている。この図に示されるように、本ルームミラー４６０はミラー本体４６２を備えている。ミラー本体４６２は正面壁１４並びに背面壁２０を備えている。この正面壁１４と背面壁２０との間には外周形状が正面壁１４及び背面壁２０の外周形状に対応した筒状の周壁４６４が設けられており、この周壁４６４の両開口端が正面壁１４及び背面壁２０により閉止されている。
【００７６】
また、周壁４６４のうち、正面壁１４並びに背面壁２０の外周部下端に対応した下壁４６６に下方へ向けて開口した略凹面形状に形成された一対の収容部４６８が正面壁１４並びに背面壁２０の長手方向に沿って並んで形成されている。
【００７７】
図１１に示されるように、収容部４６８には照明手段を構成するランプハウス４７０が配置される。ランプハウス４７０は基本的に前記第５の実施の形態におけるランプハウス４２６と同様に電池収納部４２８とソケット部４３０とを備えているが、収容部４６８に収容された状態ではソケット部４３０が正面壁１４並びに背面壁２０の長手方向中央側を向く。このソケット部４３０に対向して収容部４６８の側壁４７２は収容部４６８の内側の所定位置を中心として収容部４６８の幅方向周りに湾曲した湾曲面とされており、この側壁４７２の内面には反射膜４２４が貼着されている。
【００７８】
一方、電池収納部４２８を介してソケット部４３０とは反対側には球形状に形成された強磁性体により形成された保持手段としての永久磁石４７４が一体形成されている。これに対応して、正面壁１４並びに背面壁２０の長手方向両端側では収容部４６８に強磁性体で形成されたピボット受部４７６が形成されている。ピボット受部４７６の曲率半径は永久磁石４７４が曲率に略同じであり、永久磁石４７４はピボット受部４７６の内周面に接した状態で所望の方向に回動できる。しかも、上述したようにピボット受部４７６は強磁性体で形成されているため、永久磁石４７４は接触すること自らの磁力でピボット受部４７６に吸着する。
【００７９】
一方、収容部４６８の所定位置には電池収納部４２８に形成された透孔４４４に対向して透孔４８０が形成されており、押圧片４７８がミラー本体４６２の内側から突出している。この押圧片４７８は前記第５の実施の形態に係る押圧片４４６とは異なり、周壁４６４に設けられたスイッチ２９２を押圧してするとミラー本体４６２の内側方向へ向けて移動するようになっている。
【００８０】
＜第６の実施の形態の作用、効果＞
次に本実施の形態の作用並びに効果について説明する。
【００８１】
本ルームミラー４６０では、永久磁石４７４がピボット受部４７６に吸着することでミラー本体４６２にランプハウス４７０が保持される。この状態でスイッチ２９２を押圧し、押圧片４７８をミラー本体４６２の内側へ引き込むと、前記第５の実施の形態と同様に可動接点４４２が固定接点４４０へ向けて回動して可動接点４４２と固定接点４４０とが導通する（図９、１０参照）。これにより、二次電池２７６から電球５８へ給電され電球が点灯する。
【００８２】
一方、本ルームミラー４６０では、ピボット受部４７６に永久磁石４７４を吸着させた状態で永久磁石４７４を回動させることでソケット部４３０の向きを所望の方向へ向けることが可能である。しかも、この回動状態にあっては、スイッチ２９２を押圧せずとも図１１に示されるように電池収納部４２８が収容部４６８から離間するため、押圧片４７８が透孔４４４から離間する。これにより、ソケット部４３０の向きを変更することで自動的に電球５８が点灯する。
【００８３】
また、図１２に示されるように、永久磁石４７４の磁力に抗して永久磁石４７４をピボット受部４７６から離間させるとことで前記第５の実施の形態と同様にミラー本体４６２からランプハウス４７０を取り外すことができ、この状態では前記第５の実施の形態と同様の作用を奏し、同様の効果を得ることができる。
【００８４】
【発明の効果】
以上説明したように、本発明によれば、車両下方等の初期照明方向以外の方向への照明が可能で利便性を向上することができる。
【図面の簡単な説明】
【図１】本発明の第１の実施の形態に係るルームミラーの外観を示す斜視図である。
【図２】本発明の第１の実施の形態に係るルームミラーのランプハウス収納状態での正面断面図である。
【図３】本発明の第２の実施の形態に係るルームミラーのランプハウス収納状態での側面図である。
【図４】本発明の第３の実施の形態に係るルームミラーの外観を示す斜視図である。
【図５】本発明の第４の実施の形態に係るルームミラーの外観を示す斜視図である。
【図６】本発明の第５の実施の形態に係るルームミラーの外観を示す斜視図である。
【図７】本発明の第５の実施の形態に係るルームミラーの底面図である。
【図８】本発明の第５の実施の形態に係るルームミラーの正面断面図である。
【図９】可動接点が離間した状態を示すランプハウスの要部を示す断面図である。
【図１０】可動接点が接触した状態を示す図９に対応した断面図である。
【図１１】本発明の第６の実施の形態に係るルームミラーの外観を示す斜視図である。
【図１２】ランプハウスを取り外した状態を示す図１１に対応した斜視図である。
【符号の説明】
１８    反射鏡
５８    電球（光源、照明手段）
２５０    ルームミラー（室内灯）
２５２    ミラー本体（ハウジング）
２６４    ランプハウス（照明手段）
２７６    二次電池（電池）
２９４    ガイドレール（保持手段）
３１０    ルームミラー（室内灯）
３１２    ミラー本体（ハウジング）
３１４    傾斜面（保持手段）
３１６    傾斜面（保持手段）
３４０    ルームミラー（室内灯）
３４２    ミラー本体（ハウジング）
３５２    ランプハウス（照明手段）
３５４    コード（給電手段）
３６２    クリップ（保持手段）
３８０    ルームミラー（室内灯）
３８２    ミラー本体（ハウジング）
３９０    ケーブル（給電手段）
３９２    ソケット（ランプハウス、照明手段）
４１０    ルームミラー（室内灯）
４１２    ミラー本体（ハウジング）
４２６    ランプハウス（照明手段）
４４８    保持片（保持手段）
４５０    保持片（保持手段）
４６０    ルームミラー（室内灯）
４６２    ミラー本体（ハウジング）
４７０    ランプハウス（照明手段）
４７４    永久磁石（保持手段）
【図１】
0004908673.tif 000002
【図２】
0004908673.tif 000003
【図３】
0004908673.tif 000004
【図４】
0004908673.tif 000005
【図５】
0004908673.tif 000006
【図６】
0004908673.tif 000007
【図７】
0004908673.tif 000008
【図８】
0004908673.tif 000009
【図９】
0004908673.tif 000010
【図１０】
0004908673.tif 000011
【図１１】
0004908673.tif 000012
【図１２】
0004908673.tif 000013